(57)【要約】【課題】  造花又はドライフラワー、例えばブリザーブドフラワー等のブーケの把手部を屈曲可能にしたブーケホルダーを提供することである。【解決手段】板体状の台座の中心部等に屈曲容易な多数の線状物、あいは蛇腹構造等からなる把手部芯材を固定し、この台坐上に樹脂製剣山部材を一体に装着してなり、その後に剣山部材に茎を短尺に切断したドライフラワー、造花等を一輪ごとに多数、多様の花、葉等を差し込みブーケを構成してブーケの花面の視覚角度を把手部を屈曲することにより自由に選択でき、かつ設置場所に応じて把手部を任意形状に屈曲変形して装着部位の用途拡大を図り、しかも高価なブーケスタンド等の使用を排除でき、その上、結婚式等の後のブーケの有効活用期間の延長、及び設置場所、輸送、梱包方法の選択幅を広げたブーケホルダーを提供する。【選択図】図１
0003126402.tif 000002
【実用新案登録請求の範囲】
【請求項１】
剣山部材等を装着する台座と，該台座に屈曲可能な把手部心材とを一体に固定したことを特徴とするブーケホルダー。
【請求項２】
台座を円形、楕円形、その他の多角形状に形成すると共に、その外周端縁に把手部心材の構成線材の挟持部を収納、案内する切り欠き部を少なくとも複数個設け、かつ台座の中心部近傍に開口を穿設したことを特徴とする請求項１記載のブーケホルダー
【請求項３】
開口を穿設せず、又は開口を穿設した台座の中心部近傍に把手部芯材をモールデングにより一体に固定したことを特徴とする請求項１又は請求項２記載のブーケホルダー。
【請求項４】
把手部芯材の外被覆を熱収縮性樹脂フィルムでカバーし結束と化粧材を兼備させたことを特徴とする請求項１，請求項２，及び請求項３のいずれか１項記載のブーケホルダー。
【請求項５】
板状体からなる台座裏面中心部に設けた突起部に蛇腹構造の把手部芯材を装着したことを特徴とするブーケホルダー。
【考案の詳細な説明】
【技術分野】
【０００１】  本考案は、生花、造花、ドライフラワー、例えばプリザーブドフラワー等からなる花、葉等の一種以上を備えた剣山部材を装着する新規な台座と屈曲可能な把手部とを一体に構成したブーケホルダーに関するものである。
【背景技術】
【０００２】  造花、ドライフラワー等（以下、単にドライフラワーという）からなるブーケは、図１１に示すようにブーケホルダー（支持具）Ａと、このホルダーに装着されれた樹脂製の剣山部材Ｂと、剣山部材Ｂを保持するネット状のような離脱防止材Ｃとからなり、さらに説明するとホルダーＡは主に樹脂製パイプからなる把手部Ｄと把手部Ｄの先端に任意角度で一体に設けたお椀状の剣山部材装着部Ｅと、剣山部材装着部Ｅに配置する樹脂製の剣山部材Ｂと、この剣山部材Ｂが剣山部材装着部Ｅから離脱するのを阻止すると共に、装着が着脱自在、、又は固定構造の離脱防止材Ｃとを一体に構成したものが知られている。（例えば、文献１）【０００３】  また、図示しないがドライフラワーは、各花、葉等を任意長さの線状の茎（ワイヤー）に連結して１本の花等を構成し、その後、このような花を多数本まとめて花束とし、その花束の把手部となる線材の束の外周を化粧テープで巻回してブーケに構成したもの、あるいは、造花では、ホルダー付き枠体等に造花を各１本ずつ差し込みブーケを構成したものが普通である。【０００４】
【文献１】
月刊誌  （ＦＬＯＷＥＲ  ｄｅｓｉｇｎ  発行所  株式会社パッチワーク通信社）
【考案の開示】
【考案が解決しようとする課題】
【０００５】  しかしながら、約１年〜数年間と使用期間の長いこの種、ドライフラワーからなるブーケを居間等に飾るブーケホルダーは、上記のようにいずれも棒状の把手部と剣山部材装着部からなり、この把手部は手で握りやすいマイク等の太さ、長さ、剛性に形成されているため、把手部の変形ができず人間が持つ以外、高価なブーケホルダースタンドへ入れて、飾る必要があった。さらに、花等を一輪ごと把手部となる長手の茎を多数本テープ等で巻回して一体に形成したブーケも知られている。【０００６】  また、例えば、結婚式後にこのブーケをリユースする場合、上記のように居間にブーケスタンド、或いは壁に飾るには特別な支持具を設置しなければならない。これは把手部が剛性のある構造に構成されているためであり、しかもブーケ花面の外観の角度は任意に変更できない等の不利があった。勿論、任意角度でブーケを飾るには別のブーケホルダーを購入してブーケ部分を入れ替えて設置する必要があった。さらに、ブーケを壁に飾る場合は、壁面に別の備品を設け、かつブーケホルダーに加工を施して設置するため、ブーケを飾る場所が大幅に制限されるばかりでなく、壁に細工する等の煩雑な課題もあった。【０００７】  また、新規なドライフラワーからなるブーケを花瓶にブーケの花面を真上に設置する場合は、ブーケを例えば、樹脂製のブロック体等の装着体に固定し、これを花瓶の底部に設置する方法があるが、再度、装着体をわざわざ取り付け無ければならない不利があった。
【課題を解決するための手段】
【０００８】  本考案はこのような欠点を除去するため、剣山部材を固定する新規な台座（所謂、ディスク）と屈曲可能で所定の剛性も有する把手部とを一体に構成したブーケホルダーを提供するものである。
【考案の効果】
【０００９】  本考案に係るブーケホルダーによれば、剣山部材と台座と把手部とを個別に形成したため、目的に応じて剣山部材を半球状、多角形状、円柱、楕円形等の任意形状に形成でき、花面のデザインが広がり、用途を大幅に拡大できる。また、ブーケホルダーは板状体の台座と台座の中心部に屈曲可能な多数の線材からなる把手部芯材とを個々に形成した後、挟持、若しくは接着等の手段を介して一体に構成し、もしくは最初から一体に形成する構造としたため把手部がスッキリと、しかも把手部は誰でもが屈曲可能な構成のためブーケの花面の角度をいつでも簡単にブーケの飾る場所、置き場所等の用途に制限が無く、しかも気分に応じて花面を任意の角度に変形できるため輸送、梱包が容易になり、飾った場合のデザイン性も自由に選択できるメリットがある。【００１０】  さらに、ブーケホルダーの把手部が女性でも屈曲できる強度であり、かつ保形性を維持できる剛性を兼備せしめたため、ブーケ装着場所の装着部材、例えば網状物、フック、棒状物、小さな穴等があれば、これら装着部材の構造にマッチさせてホルダーの把手部を屈曲、挿入すれば容易に、かつ着脱可能に係止、装着でき、居住空間等をさわやかな雰囲気にさせるブーケを飾ることができる。また、花瓶にブーケを飾る際は、ホルダーの把手部をリング状等の安定形状に形成して花瓶の底に配置すれば、任意角度で花面を見せられる。その上、把手部は屈曲できるためブーケの運搬に運送容器を小さくでき、運賃を低減し、かつ、ブーケを破損することも少なくなり、しかも在庫場所は最小限に抑えられ、倉庫の維持費の削減も図れる。【００１１】  本考案に係るブーケホルダーによれば、デザインするブーケに応じて、剣山部材、台座の大きさ、形を任意に選択できるためブロック状、板体状の大きな原材料を用意すれば良く、コストダウンが図れ、しかも注文される用途に容易に対応できる。さらに、ブーケホルダーの把手部の長さ、太さも任意に選択できるため、新規、リユースの用途に応じて設定できる。また、キットを購入すれば、素人でも容易に自分流のブーケを製造できる特徴がある。
【考案を実施するための最良の形態】
【００１２】  以下に、図面を用いて本考案に係るブーケホルダーの一実施例について詳細に説明する。図１（ａ），（ｂ）は本考案に係るブーケホルダー１の全体を示す説明断面図であり、図２に要部を示すように台座２と台座２の中心部に把手部４を一体に固定したものである。さらに説明すると、台座（板体状）２は図３（ａ）〜（ｃ）に示すように例えば中心に任意形状の開口３を穿設し、開口３は台座２と把手部芯材５とを一体に装着するためのものである。【００１３】  さらに詳細に説明すると、台座２は剣山部材１１を直接、あるいは台座２等から離脱するのを阻止するネット１３を係止する取り付け具１４を、例えば接着層等の手段を介して一体に固定する。なお、台座２は取り付け具１４に直接、あるいは図１（ｂ）に示すように化粧カバー材１０と接着層１５を介して一体に装着するものであり、その材質は強度、加工性、耐久性、軽さから樹脂製の板体状のものを用いる。【００１４】  また、台座２の形状としては、例えば図３（ａ）〜（ｃ）に示すように形成したものであり、図（ａ）は円形状、図（ｂ）は楕円形状、図（ｃ）は多角形、ここでは５角形を示し、台座２の中心部には把手部芯材５を貫通させる、例えば円形、多角形、楕円形状等の開口３を穿設する。勿論、台座２はブーケの形状、例えばドーム形、ハート形、円錐形、ピラミッド形等に応じた形に板体を変形させた形状とすることもできる。
さらに、台座２は、図４（ａ）、（ｂ）に示すように外周端縁にＶ字、あるいはＵ字状等の切り欠き部２ａを複数個設け、把手部芯材５の構成線材６を所定位置に離脱無く案内すると共に収納し、かつ構成線材６が台座２の外周端縁から突出するのを防止して、台座２の外周端縁をスッキリさせるのに役立つ。【００１５】  把手部心材５は全体としても屈曲可能であり、かつ女性でもある程度の力で、容易に屈曲できる強度を有し、その上、保形性を維持できる剛性の構成線材６を多数本を用いる。具体的な材質の一例としては金属製、例えばアルミニューム線材、その他の合金線材、銅線、鉄線材、樹脂製で芯材とした細い金属線、又はこれらの外周が樹脂等でモールデングされた線材等を用いる。さらに、ブーケの大きさにより、把手部芯材５の本数は、例えば３本〜１５本程度であり、その外周を後記する化粧テープ１６のような結束具５ａ等で巻回して把手部４を構成するのに役立つ。【００１６】  また、把手部芯材５の構成線材６は１本の線材の形状、例えば図５（ａ）、（ｂ）に示すように１本の線材の中心部を折り返して端部をＵ字状に形成した狭持辺部７と、台座２に安定に載置する脚部上辺８と把手部４の心材として機能する２本の脚部下辺９とから構成したものである。勿論、脚部下辺９は原則、左右が同じ長さであるが、必要により長短に形成することもできる。これを台座２に装着するには、脚部下辺９を開口３に貫挿し、その後、図５において矢印のように屈曲して狭持辺部７を形成すると共に、図２のイーイ線で断面して図６に示すように台座２を離脱無く確実に挟持し、台座２と一体化する。なお、図２に示すブーケホルダー１では、これを３回繰り返して構成線材６を（線材は３本）６本からなる把手部芯材５を骨格とした場合を示す。なお、図５（ｂ）に示す構成線材６を用いた場合も図５（ａ）の場合と同じように構成できるものである。【００１７】  さらに、結束具５ａは、把手部芯材５の外周を線材、熱収縮樹脂フィルムからなるチューブ、若しくはテープ材等からなり、把手部芯材５の結束時、若しくは後記する化粧材を巻回した後で把手部４の少なくとも根本部分を結束し、把手部４に化粧性と握り部に手触りの良さ、及び強度等を付加するものである。【００１８】  剣山部材１１は、図示しない花、又は葉を差し込む構造の茎のワイヤーが簡単に差し込め、かつ離脱しにくいものであり、一般的にフェノール樹脂、ウレタン樹脂、ポリスチレン樹脂等の発泡体からなり、形状はドーム形、リング形、ブロック形等、目的に応じて加工したものであり、図１では円柱の形状の場合を示す。【００１９】  また、剣山部材１１の裏面１１ａには、図７（ａ）に示すように脚部上辺８を納め収納溝１２を把手部芯材５の構成線材分だけ設け、剣山部材１１が台座２上に安定に載置、又は固定するためである。さらに、図（ｂ）は剣山部材１１の裏面１１ａをフラットに形成した場合であり、図１（ｂ）に示すような台座２に化粧カバー１０で被覆した際は装着性が有利になる。【００２０】  ネット１３は剣山部材１１が取り付け具１４を介して台座２から離脱するのを阻止するものであり、剣山部材１１の外周を大まかに囲い、花、葉が剣山部材１１に差し込むのに支障のない、枠、編目等に構成する。また、ネット１３を台座２に直接、あるいは取り付け具１４を介してこれと台座２とを接着剤で固定、もしくは嵌合、あるいは狭持、螺合等の装着構造のいずれかを選択して固定するものである。【００２１】  また、完成した把手部４は把手部芯材５とその外周を化粧テープ等の化粧材１６で例えば多数、巻回して一体に構成し、かつ把手部４が工具を使用せずとも屈曲可能な可堯性があり、その上、任意形状に屈曲した後にその形状を維持する剛性を有するものである。そのため、把手部４は結婚式等において把手部４として機能する他、それ以外では任意形状、長さに屈曲してフックや壁掛け材等への係止具、又は花瓶底部では円形状に屈曲して装着台としても用いる。【００２２】  次にこれを用いたブーケホルダーの一実施例について詳細に説明すると、ここではブーケホルダー１は、図６に示すように剣山部材１１の裏面１１ａを把手部芯材５の脚部上辺８と対面する部分の大きさに切り欠き収納溝１２をそれぞれの本数に応じて形成する。これは、把手部芯材５の構成線材６が台座２から突出しているためその不具合を解消し、安定に剣山部材１１を装着するのに役立つ。【００２３】  そこで、剣山部材１１は、台座２上に上記収納溝１２を合致させて載置し、次に取り付け具１４を介してネット１３を台座２に装着してこれらを一体化する。なお、この際、剣山部材１１は台座２に図１（ｂ）に示すように接着層１５等で一体に固定する場合もある。また、剣山部材１１は接着剤で台座２に固定しない場合は、台座２，剣山部材１１はリユースすることも可能である。この剣山部材１１に必要な茎付き花を差し込み、次に構成線材６をまとめた把手部芯材５の外周に化粧材１６、例えば化粧テープを必要回数だけ巻回し、台座２近傍の把手部芯材５の根本を最初、或いは最後に結束具５ａで結束して把手部４を形成する。さらに、図示しないがフリル等の飾りは目的に応じて適宜位置に装着する。【００２４】  以上説明したのは本考案に係るブーケホルダーの一実施例にすぎず、ブーケホルダー１の主要部を図８（ａ）〜（ｄ）に示すように形成することもできる。即ち、図８（ａ）は把手芯材５の各構成線材６を台坐２上に接着剤か、機械的に固定した場合であり、この際は狭持辺部７は形成する必要がない。図（ｂ）は図２に示す台座２に低発泡のクッション材１７を固定して剣山部材１１の収納溝１２の加工を除去した場合である。図（ｃ）は台座２の外周側面２ａ、を把手部芯材５の構成線材６で狭持、又は接着剤を介して一体化した場合である。なお、図示しないが台座２に装着穴を穿設した場合は、狭持辺部７の変形を差し込み、台座２を装着することもできる。図（ｄ）は台座２の裏面２ｂに取り付け穴を把手芯材５の端部数だけ設け、これに把手部芯材５の各構成線材６の先端を嵌挿して固定したものである。【００２５】  さらに、ブーケホルダー１の構成は、図９（ａ）〜（ｃ）に示すように構成することもできる。即ち、図（ａ）〜（ｃ）は把手部芯材５を図３に示すような形状の台座２、もしくは平板状の台座２と一体にモールデングしたものであり、図１０（ａ）〜（ｃ）に示すように台座２の下面２ｂに把手部芯材５を装着する突起状の取り付け部２ｃを設け、こ��取り付け部２ｃに把手部芯材５の先端を係止したり、（ｃ）に示すように蛇腹構造５ｂの把手芯材５を有するブーケホルダー１とすることもできる。また、図示しないが台座２の板体状の面部をプレス加工、或いは切削加工で凹凸形状の溝を全面、あるいは多数本を設け、後記する図７（ａ）に示すように剣山部材１１の底面１１ａに収納溝１２を形成することなく後記する図７（ｂ）に示すように裁断したままで使用する構造に形成することもできる。
【図面の簡単な説明】
【００２６】
【図１】本考案に係るブーケホルダーの一実施例を示す説明断面図である。
【図２】本考案に係るブーケホルダーの要部の一実施例を示す説明図である。
【図３】本考案に係るブーケホルダーの台坐の一実施例を示す説明図である。
【図４】本考案に係るブーケホルダーの台座の一実施例を示す斜視図である。
【図５】本考案に係る把手部芯材の構成線材を示す説明図である。
【図６】図２イーイ線におけるブーケホルダーの断面図である。
【図７】本考案に係るブーケホルダーに使用する剣山部材の一実施例を示す斜視図である。
【図８】本考案に係るブーケホルダーのその他の実施例を示す説明図である。
【図９】本考案に係るブーケホルダーのその他の実施例を示す説明図である。
【図１０】本考案に係るブーケホルダーのその他の一実施例を示す説明図である。
【図１１】従来から使用されているブーケ支持具の一例を示す説明図である。
【符号の説明】
【０００２７】１    ブーケホルダー
２    台座
２ａ  切り欠き
３    開口
４    把手部
５    把手部芯材
５ａ  結束具
７    狭持辺部
１０  化粧カバー
１１  剣山部材
１２  収納溝
１３  ネット
１５  接着剤層
１６  化粧材
【図１】
0003126402.tif 000003
【図２】
0003126402.tif 000004
【図３】
0003126402.tif 000005
【図４】
0003126402.tif 000006
【図５】
0003126402.tif 000007
【図６】
0003126402.tif 000008
【図７】
0003126402.tif 000009
【図８】
0003126402.tif 000010
【図９】
0003126402.tif 000011
【図１０】
0003126402.tif 000012
【図１１】
0003126402.tif 000013